(57)【要約】【課題】活動記録から介護の開始時刻と終了時刻のデータを簡単に且つ正確にコンピュータに入力できるように画面を利用した活動記録の時刻データの入力方法およびその方法を実施するための時刻入力用表示画面を提供する。【解決手段】介護記録の計画開始時刻、計画終了時刻、実績開始時刻及び実績終了時刻の時刻データをコンピュータに入力する介護記録の時刻データの入力方法において、コンピュータの表示画面に、環状に配置された時を示す数字２と、環状に配置された分を示す数字３とを同心円状に表示するとともに、時を指す短針と分を指す長針とを表示した時計の文字盤１からなる、時刻データの入力用表示画面を表示し、文字盤１の時の数字２と分の数字３を時刻データの時の数字と分の数字にカーソルを合わせて入力し、入力された時と分に短針および長針が指した時計表示をするとともに、時刻を数字で表示する。【選択図】図１
2009053940.tif 000002
【特許請求の範囲】
【請求項１】
介護サービス活動実績記録の計画開始時刻、計画終了時刻、実績開始時刻及び実績終了時刻の時刻データをコンピュータに入力する介護サービス活動実績記録の時刻データの入力方法において、
コンピュータの表示画面に、環状に配置された時を示す数字と、環状に配置された分を示す数字とを同心円状に表示するとともに、時を指す短針と分を指す長針とを表示した時計の文字盤からなる、時刻データの入力用表示画面を表示し、
前記文字盤の前記時の数字と前記分の数字を前記時刻データの時の数字と分の数字にカーソルを合わせて入力し、
入力された時と分に短針および長針が指した時計表示をするとともに、時刻を数字で表示することを特徴とする介護サービス活動実績記録の時刻データの入力方法。
【請求項２】
時を指す短針を午前と午後で異なる色で時計表示することを特徴とする請求項１記載の介護サービス活動実績記録の時刻データの入力方法。  
【請求項３】
コンピュータの表示画面に表示して、介護サービス活動実績記録の計画開始時刻、計画終了時刻、実績開始時刻及び実績終了時刻の時刻データをコンピュータに入力する介護サービス活動実績記録の時刻データを入力する、介護サービス活動実績記録の時刻データの入力用表示画面であって、
環状に配置された時を示す数字と、環状に配置された分を示す数字とを同心円状に表示するとともに、時を指す短針と分を指す長針とを表示した時計の文字盤であり、短針および長針が前記時の数字と前記分の数字を前記時刻データの時の数字と分の数字にカーソルを合わせて入力することにより入力された時刻が時計表示されるとともに、時刻が数字で表示さることを特徴とする介護サービス活動実績記録の時刻データの入力用表示画面。
【発明の詳細な説明】
【技術分野】
【０００１】
本発明は、介護サービス活動実績記録からコンピュータに介護の開始時刻及び終了時刻の時刻データを入力する際、時刻入力用表示画面を利用して時刻データを入力する方法およびこの方法に使用する時刻入力用表示画面に関する。
【背景技術】
【０００２】
支援費制度により身体障害者、知的障害者などの障害者は、サービス提供者（ヘルパー）により身体介護などのサービスを受けることができる。ヘルパーは、提供したサービス内容について、介護サービス活動実績記録票（以下「活動記録」という。）に記入し、利用者からサービスの提供を受けたことを確認することが義務づけられている。活動記録には、サービスの内容、開始時刻、終了時刻などが記録される。
【０００３】
サービス提供の事業者は、ヘルパーから１ヶ月のサービス活動のデータを記録した活動記録を定期的に回収し、回収した活動記録から実績時間数、派遣人数、サービス提供ヘルパー名などをコンピュータに入力し、月間の累計を計算して合計を記入、又は検算する。また、開始時刻、終了時刻、実績時間数から判断して、早朝・夜間・深夜の勤務状況の把握により２５％、５０％の割り増し料金を計算し、請求書に反映させる。サービス提供の事業者は、これらの実績に基づいて作成した請求書を市町村に提出する。
【０００４】
ところが、各ヘルパーの活動記録に記録されたデータをコンピュータに入力する際に入力ミスが発生することが問題となっている。
【０００５】
そこで、サービス実績を容易に間違いなく入力でき、また、サービスの開始時刻、終了時刻を正確に記録するため、例えば、特許文献１に、情報管理センタ側装置とヘルパー携帯端末と両者を接続するネットワークと、要介護者が保持する要介護者ＩＣカードから構成される、要介護者への居宅介護サービスを実施するための介護サービス支援システムにおいて、要介護者ＩＣカードに入力された申し送り情報をヘルパー携帯端末に読取り、異なる事業者間でもスムーズに申し送り情報を伝達できることと、サービス開始時刻、終了時刻を正確に記録でき、その情報を情報管理センタに送信できる介護サービス支援システムが開示されている。
【特許文献１】特開２００１−２７３３６８号公報
【発明の開示】
【発明が解決しようとする課題】
【０００６】
しかしながら、活動記録に記録されたデータをコンピュータに入力するケースでは、入力作業に極めて多くの手間と時間をかけている。そのうち、介護の開始時刻と終了時刻を入力する際には、キーボードのキーで数字を入力しているが、記録されている時刻が、例えば、１２：３０の場合、時の２桁の数字（１２）、分の２桁の数字（３０）を入力する必要があり、さらに介護開始時刻、終了時刻の計画と実績についての入力があるため、キーを押す回数が多くなって１ヶ月分のデータ入力作業は長くなり、また入力ミスも発生している。
【０００７】
そこで、本願発明は、活動記録から介護の開始時刻と終了時刻のデータを簡単に且つ正確にコンピュータに入力できるように画面を利用した活動記録の時刻データの入力方法およびその方法を実施するための時刻入力用表示画面を提供するものである。
【課題を解決するための手段】
【０００８】
本発明は、介護記録の計画開始時刻、計画終了時刻、実績開始時刻及び実績終了時刻の時刻データをコンピュータに入力する介護記録の時刻データの入力方法において、コンピュータの表示画面に、環状に配置された時を示す数字と、環状に配置された分を示す数字とを同心円状に表示するとともに、時を指す短針と分を指す長針とを表示した時計の文字盤からなる、時刻データの入力用表示画面を表示し、前記文字盤の前記時の数字と前記分の数字を前記時刻データの時の数字と分の数字にカーソルを合わせて入力し、入力された時と分に短針および長針が指した時計表示をするとともに、時刻を数字で表示することを特徴とする。
【０００９】
前記構成において、時を指す短針を２４時間表示とし、例えば午前を赤色、午後を青色と異なる色で時計表示して、タッチした時の間違いを短針の色で目視可能としている。    
【００１０】
また、本発明は、コンピュータの表示画面に表示して、介護記録の計画開始時刻、計画終了時刻、実績開始時刻及び実績終了時刻の時刻データをコンピュータに入力する介護記録の時刻データを入力する、介護記録の時刻データの入力用表示画面であって、環状に配置された時を示す数字と、環状に配置された分を示す数字とを同心円状に表示するとともに、時を指す短針と分を指す長針とを表示した時計の文字盤であり、短針および長針が前記時の数字と前記分の数字を前記時刻データの時の数字と分の数字にカーソルを合わせて入力することにより入力された時刻が時計表示されるとともに、時刻が数字で表示さることを特徴とする。
【発明の効果】
【００１１】
本発明は、コンピュータの画面に表示された時計の文字盤に表示された時の数字と分の数字を指定するだけで、活動記録に記録された時刻データを入力できるので、従来のキーによる数字の入力に比べて入力が簡単で且つ短時間でできるので入力時間を短縮することができる。
【００１２】
入力桁数は、計画時刻と実績時刻が同じであればコピー機能により時刻の入力が省略できるので、全体的にはキーボード入力に比べて１／３〜１／２とタッチ数が少なくてすむ。
【００１３】
また、入力した時刻が文字盤に短針および長針により時計表示されて目視で瞬時に確認できるので、入力ミスの発生を防止することができる。さらには、入力ガイドが設定されているので、コンピュータに不慣れなヘルパーでも充分にコンピュータの操作ができるようになっている。
【発明を実施するための最良の形態】
【００１４】
本発明の実施例を図面により説明する。
【実施例】
【００１５】
図１は本発明による時刻データの入力方法を実施するためのコンピュータの入力画面を示す図である。
【００１６】
図１に示す例は、居宅介護活動記録について必要な事項を入力するための入力画面である。入力画面には、支援の種類、サービス提供日付、サービス内容、利用者名、計画および実績のそれぞれの開始時刻および終了時刻、ヘルパーの派遣人数などの介護活動を記録する項目が表示されている。
【００１７】
本発明において、計画された開始時刻および終了時刻、実績の開始時刻および終了時刻を入力するための時刻入力用表示画面として、時計の文字盤１が二つ並べて表示される。
【００１８】
各文字盤１には、環状に配置された時を示す数字２と、環状に配置された分を示す数字３と、時を指す短針と分を指す長針とが表示されている。
【００１９】
時を示す数字２は、午前の時を示す１時〜１２時の数字が１時間間隔で表示され、その内側に午後の時を示す１３時〜２４時の数字が１時間の間隔で表示されている。短針は、午前と午後を色で区別し、例えば、午前を赤色の短針で表示し、午後を青色の短針で表示するようにする。
【００２０】
分を示す数字３は、０〜５５分の数字が５分の間隔で表示されている。なお、５分の間を１分間隔の目盛りを表示してもよい。
【００２１】
文字盤１の横には、入力された計画開始時刻を確認するために表示する「計開始」、及び計画終了時刻を確認するために表示する入力確認用欄４として、「計終了」の欄と、実績開始時刻を確認するために表示する「実開始」、及び実績終了時刻を確認するために表示する「実終了」の欄が表示される。
【００２２】
文字盤１の下には、入力されたサービス内容、介護計画および介護実績のそれぞれの開始時刻、終了時刻および介護時間を表示するテーブル５が表示されている。
【００２３】
本発明では、時刻入力用表示画面の時と分の数字にカーソルを合わせてクリックすることにより時刻が文字盤１に時計表示されると共に、確認画面である入力確認用欄４に表示される。
【００２４】
図２は本発明の入力方法で入力して時刻を表示するシステムの一例を示す図である。
【００２５】
時刻データの入力前の段階では、短針及び長針は正午を指している。
【００２６】
コンピュータに表示された入力画面の文字盤の数字のうち、カーソルで選択された数字の入力信号が演算装置１１に入力される。初期値の時計の針は、短針、長針ともに１２：００を指している。したがって、オペレータは針の位置を気にすることなく、介護記録に書かれている数字と同じ時計の時の数字上をクリックすればよく、分も指定した数字が上書きされるので、確定するまでは何度クリックしても問題はない。
【００２７】
時計の画面には、時、分を示す数字の周辺に５ｍ／ｍ内外の座標枠が設定されており、この検知エリアをクリックすることで、演算装置１１では、選択された数字が検知エリアにより、時の数字か分の数字のいずれであるか時・分判別手段１２で判別される。
【００２８】
演算装置１１では、さらに時の数字である場合、１３より大きいか小さいかにより午前の数字か午後の数字か午前・午後判別手段１３により判別される。
【００２９】
判別された分、午前の時または午後の時についての数字の信号は、表示駆動装置１４へ入力される。
【００３０】
表示駆動装置１４は、メモリ１５に記憶されている判別された分、午前の時の数字または午後の時の数字について、短針および長針のラジアン角度から、表示装置１６の文字盤に表示する短針および長針の位置を演算し、また短針について、午前は赤色、午後は青色で時計表示する表示駆動信号を表示装置１６に出力する。
【００３１】
表示装置１６は、入力した表示駆動信号により短針および長針を入力された時刻に表示するとともに、入力確認用欄、及びにテーブルに時刻が数字で表示される。
【００３２】
次に、入力手順について説明する。
【００３３】
図１において、例えば、テーブル５に示される１９日の乗降のサービスについて、計画の開始時刻７：３０を入力する場合、時を示す数字２の７にカーソルを合わせてクリックすると、文字盤１の時を指す短針が７時を指す。この場合、短針は午前中なので赤色で表示される（午後の場合、青色で表示される）。
【００３４】
次いで、分を示す数字３の３０にカーソルを合わせてクリックすると、文字盤１の分を指す長針が３０分を指し、文字盤に７時３０分が短針および長針により時計表示される。この時計表示とともに、入力確認用欄４の開始時刻の欄に７：３０が表示される。
【００３５】
終了時刻８：００についても、同様にして時を示す数字と分を示す数字にカーソルを合わせてクリックすることにより、文字盤に短針および長針により８時００分が表示されるとともに、入力確認用欄４の終了時刻の欄に８：００が表示される。なお、計画時刻と実績時刻が同じであれば、入力確認用欄４の「実績へコピー」をクリックすれば、コピー機能により時刻を入力することなく、入力確認用欄４へ計画開始時刻及び終了時刻をコピーする。
【００３６】
また、実績人数は初期値を１にしているので、変更する場合は人数欄のボタンをクリックする。担当ヘルパーは事前にマスター登録された全員が表示されるので、自分のコードを選択すればよい。
【００３７】
以上の入力手順を繰り返して、計画された開始時刻および終了時刻、実績の開始時刻および終了時刻時間を入力していく。全項目の入力後、オペレーションガイドが示している決定ボタンをクリックすることによりテーブル５の１９日の欄へ移送され、月間の入力状況を把握することができる。全件終了後は、テーブル５の内容は提供実績記録票（国基準様式）へとプリントアウトされる。
【図面の簡単な説明】
【００３８】
【図１】本発明による時刻データの入力方法を実施するためのコンピュータの入力画面を示す図である。
【図２】本発明の入力方法で入力して時刻を表示するシステムの一例を示す図である。
【符号の説明】
【００３９】
１：文字盤
２：時を示す数字
３：分を示す数字
４：入力確認用欄
５：テーブル
１１：演算装置
１２：時・分判別手段
１３：午前・午後判別手段
１４：表示駆動装置
１５：メモリ
１６：表示装置
【図２】
2009053940.tif 000003
【図１】
2009053940.tif 000004